(57)【要約】【課題】ワーク表面に薄く均一な潤滑皮膜を形成すること。【解決手段】本発明の潤滑処理は、ワーク２を水溶性潤滑剤に浸漬させることで、ワーク表面に水溶性潤滑剤を塗布する方法であり、潤滑剤塗布槽１１の水溶性潤滑剤にワーク２を浸漬させた後、水溶性潤滑剤からワーク２を引き上げる際に、その引き上げ速度を２０ｍｍ／ｓｅｃ以下に設定している。この場合、ワーク２の引き上げ速度が遅いため、潤滑剤塗布槽１１に蓄えられた水溶性潤滑剤の液面の表面張力にワーク表面の水溶性潤滑剤が引っ張られることで、ワーク表面に余分な水溶性潤滑剤が塗布されることはなく、水溶性潤滑剤を薄く均一に塗布できる。【選択図】図４
2006224163.tif 000002
【特許請求の範囲】
【請求項１】
ワークを水溶性潤滑剤に浸漬して、前記ワークの表面に水溶性潤滑剤を塗布する潤滑剤塗布工程を含む冷間鍛造用の潤滑処理方法であって、
前記潤滑剤塗布工程では、前記水溶性潤滑剤から前記ワークを引き上げる時の引き上げ速度を２０ｍｍ／ｓｅｃ以下としたことを特徴とする冷間鍛造用の潤滑処理方法。
【請求項２】
円筒形状のワークを水溶性潤滑剤に浸漬して、前記ワークの表面に水溶性潤滑剤を塗布する潤滑剤塗布工程を含む冷間鍛造用の潤滑処理方法であって、
前記潤滑剤塗布工程では、前記水溶性潤滑剤から前記ワークを引き上げる時の引き上げ速度を２０ｍｍ／ｓｅｃ以下としたことを特徴とする冷間鍛造用の潤滑処理方法。
【請求項３】
請求項２に記載した冷間鍛造用の潤滑処理方法において、
前記ワークの表面に付着している油等の汚れを除去する第１工程と、
前記ワークの表面を水洗いする第２工程と、
前記ワークの表面の水滴を除去する第３工程と、
前記ワークの表面に水溶性潤滑剤を塗布する第４工程（請求項２に記載した潤滑剤塗布工程）と、
前記ワークの表面に塗布された水溶性潤滑剤を乾燥させる第５工程とが実施され、
前記第１工程〜前記第３工程および前記第５工程では、前記ワークの長手方向一端側を上向きにして、前記ワークの内径が保持された状態で各工程が実施され、
前記第４工程では、前記ワークの長手方向一端側を下向きにした後、その長手方向一端側を前記水溶性潤滑剤に浸漬して、前記長手方向一端側の内外表面に水溶性潤滑剤が塗布されることを特徴とする冷間鍛造用の潤滑処理方法。
【請求項４】
請求項３に記載した冷間鍛造用の潤滑処理方法において、
前記第３工程と前記第４工程との間に、酸洗−水洗−乾燥から成る下処理を実施することを特徴とする冷間鍛造用の潤滑処理方法。
【請求項５】
請求項３または４に記載した冷間鍛造用の潤滑処理方法において、
前記第３工程または前記下処理を終了した後、前記ワークの向きを天地方向に反転してから前記第４工程に移行し、前記水溶性潤滑剤から前記ワークを引き上げた後、再度、前記ワークの向きを天地方向に反転して、前記第５工程に移行することを特徴とする冷間鍛造用の潤滑処理方法。
【請求項６】
請求項２〜５に記載した何れかの冷間鍛造用の潤滑処理方法を実施する潤滑処理装置であって、
前記ワークの長手方向一端側を上向きにした状態で、前記ワークの内径を保持するワーク受け治具と、
前記ワークの長手方向他端側の外周面を把持して、前記ワークを上下方向に移動できると共に、前記ワークの向きを天地方向に反転させる機能を有するワーク操作ユニットとを備えることを特徴とする冷間鍛造用の潤滑処理装置。
【請求項７】
請求項６に記載した冷間鍛造用の潤滑処理装置において、
前記ワーク受け治具は、
前記ワークの内側に挿入されるポール状の挿入部と、
前記ワークの長手方向端面を支持する台座部とを有し、
前記挿入部と前記台座部には、前記ワークの内側に入り込んだ水分や異物等を排出できる排出通路が形成されていることを特徴とする冷間鍛造用の潤滑処理装置。
【請求項８】
請求項７に記載した冷間鍛造用の潤滑処理装置において、
前記挿入部には、前記ワークの内径方向に対応する径方向両側に二面幅が形成され、
前記台座部には、前記ワークの長手方向端面を受ける支持面より低く凹設され、前記二面幅に繋がる逃げ溝が形成され、この逃げ溝と前記二面幅とで前記排出通路が形成されていることを特徴とする冷間鍛造用の潤滑処理装置。
【請求項９】
請求項６〜８に記載した冷間鍛造用の潤滑処理装置において、
請求項３に記載した第５工程を終了した後、前記ワークを冷間鍛造工程まで搬送する搬送経路を有し、この搬送経路が乾燥状態に保たれていることを特徴とする冷間鍛造用の潤滑処理装置。
【請求項１０】
請求項９に記載した冷間鍛造用の潤滑処理装置において、
前記搬送経路を覆うカバーと、
請求項３に記載した第１工程から第５工程までの間で発生する排熱を前記カバーの内部に導入する排風ダクトとが設けられていることを特徴とする冷間鍛造用の潤滑処理装置。
【発明の詳細な説明】
【技術分野】
【０００１】
本発明は、冷間鍛造されるワークの表面に水溶性潤滑剤を塗布する冷間鍛造用の潤滑処理方法および潤滑処理装置に関する。
【背景技術】
【０００２】
従来、冷間鍛造用の潤滑処理方法として、以下の工程１）〜８）が知られている。
１）ワーク表面に付着した油等の汚れを界面活性剤等の脱脂剤で除去する脱脂工程、
２）ワーク表面の脱脂剤を除去するために水洗いする水洗工程、
３）ワーク表面の錆等を除去するために酸洗いする酸洗工程、
４）ワーク表面の酸を除去するために湯洗いする湯洗工程、
５）ワーク表面にリン酸塩皮膜を形成する化成処理（ボンデ処理）工程、
６）ワーク表面の余分な皮膜処理剤を除去するために水洗いする水洗工程、
７）ワーク表面の水洗では除去できなかった皮膜剤成分を中和させる中和処理、
８）ワーク表面のリン酸塩皮膜と脂肪酸塩が化学反応し、金属石鹸を中間層として形成する処理（リューベ処理）。
【０００３】
上記の処理工程は、冷間鍛造全般に使用でき、潤滑性は高いが、以下の欠点がある。
ａ）処理工程が多いため、その分、設備台数が多くなる。
ｂ）設備の設置面積が大きくなる。
ｃ）エネルギ消費量が多くなる。
一方、ワークの表面に水溶性潤滑剤を塗布する方法もある（特許文献１参照）。
これは、脱脂→水洗→乾燥→水溶性潤滑剤塗布→乾燥の順に行われる。この方法では、処理工程が短く、且つ化成処理を行う必要がないので、生産性が高く、設備の設置面積およびエネルギ消費量も小さくできる。
【特許文献１】特開２００２−１０２９８４号公報
【発明の開示】
【発明が解決しようとする課題】
【０００４】
ところが、ワークの表面に水溶性潤滑剤を塗布する方法では、塗布ムラが発生することがあり、ワーク表面に均一な潤滑皮膜を形成することが困難である。このため、潤滑皮膜が形成されない部分が発生したり、搬送中に潤滑皮膜が剥離して、冷間鍛造に要する加工荷重が増大する問題がある。
また、潤滑皮膜が厚く塗られると、塗布後の乾燥時間が長くなるため、生産性が低下する上に、乾燥設備が大型化する。また、余分な潤滑皮膜が後工程の冷鍛や切削工程に持ち込まれると、搬送路にカスが堆積してワークを搬送する際の障害となる恐れがある。
【０００５】
さらに、ワークがＳＣｒやＳＣＭのような合金鋼の場合には、水溶性潤滑剤が剥がれ易いという問題もある。
また、ワーク表面に潤滑剤を塗布して乾燥した後、吸湿すると、潤滑剤が剥離しやすくなり、冷鍛工程での加工荷重が増大する問題もある。
【０００６】
なお、上記の特許文献１には、ワーク表面に付着した余分な潤滑剤を除去するために、エアブローで液切りを行う方法が示されているが、この方法では、エアブローで除去した潤滑剤が設備内に飛び散るため、他のワーク表面に付着して塗布ムラが発生したり、エアブローを発生させる工程を追加するために生産性が低下して設備が大きくなる上に、消費エネルギが増える問題がある。
本発明は、上記事情に基づいて成されたもので、その目的は、ワーク表面に薄く均一な潤滑皮膜を形成することができる冷間鍛造用の潤滑処理方法および潤滑処理装置を提供することにある。
【課題を解決するための手段】
【０００７】
（請求項１の発明）
本発明は、ワークを水溶性潤滑剤に浸漬して、ワークの表面に水溶性潤滑剤を塗布する潤滑剤塗布工程を含む冷間鍛造用の潤滑処理方法であって、潤滑剤塗布工程では、水溶性潤滑剤からワークを引き上げる時の引き上げ速度を２０ｍｍ／ｓｅｃ以下としたことを特徴とする。
上記の方法によれば、液面の表面張力にワーク表面の水溶性潤滑剤が引っ張られることで、薄く均一に塗布できる。
【０００８】
（請求項２の発明）
本発明は、円筒形状のワークを水溶性潤滑剤に浸漬して、ワークの表面に水溶性潤滑剤を塗布する潤滑剤塗布工程を含む冷間鍛造用の潤滑処理方法であって、潤滑剤塗布工程では、水溶性潤滑剤からワークを引き上げる時の引き上げ速度を２０ｍｍ／ｓｅｃ以下としたことを特徴とする。
上記の方法によれば、液面の表面張力にワーク表面の水溶性潤滑剤が引っ張られることで、薄く均一に塗布できる。
【０００９】
（請求項３の発明）
請求項２に記載した冷間鍛造用の潤滑処理方法において、ワークの表面に付着している油等の汚れを除去する第１工程と、ワークの表面を水洗いする第２工程と、ワークの表面の水滴を除去する第３工程と、ワークの表面に水溶性潤滑剤を塗布する第４工程（請求項２に記載した潤滑剤塗布工程）と、ワークの表面に塗布された水溶性潤滑剤を乾燥させる第５工程とが実施され、第１工程〜第３工程および第５工程では、ワークの長手方向一端側を上向きにして、ワークの内径が保持された状態で各工程が実施され、第４工程では、ワークの長手方向一端側を下向きにした後、その長手方向一端側を水溶性潤滑剤に浸漬して、長手方向一端側の内外表面に水溶性潤滑剤が塗布されることを特徴とする。
【００１０】
本発明の潤滑処理方法が適用されるワークは、長手方向一端側の内外表面に水溶性潤滑剤が塗布される。このため、水溶性潤滑剤を塗布する第４工程を除く第１〜第３工程および第５工程では、ワークの長手方向一端側を上向きにして、ワークの内径が保持されることで、各工程（脱脂、水洗、水滴除去、乾燥）をムラ無く均等に処理できる。また、処理が容易な上方向から各工程を実施できる。
一方、第４工程では、ワークの長手方向一端側を下向きにすることで、処理が容易な上方からワークを水溶性潤滑剤に浸漬するだけで、長手方向一端側の内外表面に水溶性潤滑剤を塗布することができる。また、ワークを水溶性潤滑剤から引き上げた時に、潤滑剤が垂れても、ワークの長手方向他端側に潤滑剤が付着することはない。
【００１１】
（請求項４の発明）
請求項３に記載した冷間鍛造用の潤滑処理方法において、第３工程と第４工程との間に、酸洗−水洗−乾燥から成る下処理を実施することを特徴とする。
第４工程の前、つまりワークの表面に水溶性潤滑剤を塗布する前に、下処理を実施することで、ワークの表面に錆を発生させることができる。その後、第４工程を実施することで、ワーク表面に発生した錆によって水溶性潤滑剤の密着度が増すため、例えば、ＳＣｒやＳＣＭのような合金鋼の場合でも、水溶性潤滑剤を剥がれにくくできる。
【００１２】
（請求項５の発明）
請求項３または４に記載した冷間鍛造用の潤滑処理方法において、第３工程または下処理を終了した後、ワークの向きを天地方向に反転してから第４工程に移行し、水溶性潤滑剤からワークを引き上げた後、再度、ワークの向きを天地方向に反転して、第５工程に移行することを特徴とする。
これにより、第１工程から第５工程までの処理を連続的に、且つ効率良く実施できるため、処理時間を短縮できる。
【００１３】
（請求項６の発明）
請求項２〜５に記載した何れかの冷間鍛造用の潤滑処理方法を実施する潤滑処理装置であって、ワークの長手方向一端側を上向きにした状態で、ワークの内径を保持するワーク受け治具と、ワークの長手方向他端側の外周面を把持して、ワークを上下方向に移動できると共に、ワークの向きを天地方向に反転させる機能を有するワーク操作ユニットとを備えることを特徴とする。
【００１４】
上記の潤滑処理装置を用いることにより、第１工程〜第３工程および第５工程では、ワーク受け治具によってワークの長手方向一端側を上向きにした状態で、ワークの内径を保持することができ、第３工程を終了した後、ワーク操作ユニットによってワークの向きを天地方向に反転することで、連続的に第４工程へ移行でき、さらに、ワークを水溶性潤滑剤から引き上げた後、再度、ワークの向きを天地方向に反転することで、連続的に第５工程へ移行できる。
【００１５】
（請求項７の発明）
請求項６に記載した冷間鍛造用の潤滑処理装置において、ワーク受け治具は、ワークの内側に挿入されるポール状の挿入部と、ワークの長手方向端面を支持する台座部とを有し、挿入部と台座部には、ワークの内側に入り込んだ水分や異物等を排出できる排出通路が形成されていることを特徴とする。
この構成によれば、ワークがワーク受け治具に保持された状態で、第１工程〜第３工程および第５工程を実施する際に、ワークの内側に入り込んだ水分や異物等をワーク受け治具に形成された排出通路からワークの外側へ排出できるので、ワークの内側に水分や異物が滞留することを防止できる。
【００１６】
（請求項８の発明）
請求項７に記載した冷間鍛造用の潤滑処理装置において、挿入部には、ワークの内径方向に対応する径方向両側に二面幅が形成され、台座部には、ワークの長手方向端面を受ける支持面より低く凹設され、二面幅に繋がる逃げ溝が形成され、この逃げ溝と二面幅とで排出通路が形成されていることを特徴とする。
この場合、二面幅を必要最小限の大きさに形成することで、挿入部に二面幅を形成したことによってワークがぐらつくことはなく、安定した姿勢でワークを保持できる。
【００１７】
（請求項９の発明）
請求項６〜８に記載した冷間鍛造用の潤滑処理装置において、請求項３に記載した第５工程を終了した後、ワークを冷間鍛造工程まで搬送する搬送経路を有し、この搬送経路が乾燥状態に保たれていることを特徴とする。
ワークの表面に水溶性潤滑剤を塗布して乾燥した後、吸湿すると、潤滑剤が剥離しやすくなる。これに対し、請求項９に記載した発明では、第５工程（乾燥工程）を終了した後、冷間鍛造工程までの搬送経路が乾燥状態に保たれるので、乾燥後に吸湿することはなく、潤滑剤の剥離を防止できる。
【００１８】
（請求項１０の発明）
請求項９に記載した冷間鍛造用の潤滑処理装置において、搬送経路を覆うカバーと、請求項３に記載した第１工程から第５工程までの間で発生する排熱をカバーの内部に導入する排風ダクトとが設けられていることを特徴とする。
この構成によれば、潤滑処理に伴って発生する排熱、例えば、第３工程でワークの表面を乾燥させる際に生じる排熱を利用して搬送経路を乾燥状態に保つことができる。
【発明を実施するための最良の形態】
【００１９】
本発明を実施するための最良の形態を以下の実施例により詳細に説明する。
【実施例１】
【００２０】
図１は冷間鍛造用の潤滑処理装置１の全体正面図、図２は潤滑処理装置１を上方から見た平面図である。
実施例１に係るワーク２は、例えば、自動車用スタータの一部品である円筒形状のスプラインチューブ（図６参照）であり、長手方向一端側（図６の上側）の内周面にヘリカルスプラインが冷間鍛造によって形成される。この冷間鍛造では、ワーク２が非常に大きな圧力で金型に押し付けられながら塑性変形するため、ワーク２の潤滑処理が重要である。  
【００２１】
実施例１に示すワーク２の潤滑処理は、ワーク２の表面（以下ワーク表面と呼ぶ）に水溶性潤滑剤を塗布する方法であり、以下に説明する潤滑処理装置１を用いて行われ、図７に示す工程に従って処理される。
まず、潤滑処理の工程を説明する。
脱脂工程…ワーク表面に付着している油等の汚れを界面活性剤等の脱脂剤で除去する（本発明の第１工程）。
【００２２】
水洗工程…ワーク表面の脱脂剤を除去するために水洗い（例えばシャワー洗浄）する（本発明の第２工程）。
水滴除去工程…例えば、高圧エアーをワーク表面に吹き付けるエアブローによってワーク表面の水滴を除去する。あるいは、ワーク表面に温風を当てて乾燥させても良い（本発明の第３工程）。
潤滑剤塗布工程…ワーク表面に水溶性潤滑剤を塗布する（本発明の第４工程）。
乾燥工程…ワーク表面に塗布された水溶性潤滑剤を乾燥させる（本発明の第５工程）。  
【００２３】
続いて、潤滑処理装置１の構成について図１〜図５を基に説明する。
潤滑処理装置１は、大別すると、図１および図２に示す様に、前処理室３と、潤滑剤塗布部４と、乾燥炉５とで構成される。
前処理室３は、上記の脱脂工程を実施する脱脂部６と、水洗工程を実施する水洗部７と、水滴除去工程を実施するエアブロー部８とが連続的に設けられると共に、ワーク２を搬送するための搬送コンベア９が配設されている。この搬送コンベア９は、前処理室３の内部を脱脂部６→水洗部７→エアブロー部８の順にワーク２を搬送する。なお、搬送コンベア９によって搬送されるワーク２は、以下に説明するワーク受け治具１０によって保持されている。
【００２４】
ワーク受け治具１０は、図３に示す様に、ワーク２の内側に挿入されるポール状の挿入部１０ａと、ワーク２の長手方向端面を支持する台座部１０ｂと、この台座部１０ｂの下側に突設された螺子部１０ｃとを有し、この螺子部１０ｃを搬送コンベア９に螺着して取り付けられている。
挿入部１０ａと台座部１０ｂには、ワーク２の内側に入り込んだ水分や異物等を排出できる排出通路が形成されている。この排出通路は、挿入部１０ａに形成された二面幅１０ｄと、台座部１０ｂに形成された逃げ溝１０ｅとで構成される。
【００２５】
挿入部１０ａの二面幅１０ｄは、ワーク２の内径方向に対応する挿入部１０ａの径方向両側に形成され、挿入部１０ａにワーク２が保持された状態で、ワーク２の内周面と二面幅１０ｄとの間に、水分や異物等を排出できる程度に、隙間が確保されている。但し、二面幅１０ｄを必要以上に大きくすると、ワーク２の内径を保持する挿入部１０ａの外周面が小さく（狭く）なって、ワーク２がぐらつく恐れがある。従って、水分や異物等を排出でき、且つワーク２を安定した姿勢で保持できる様に、二面幅１０ｄの大きさを必要最小限に設定することが望ましい。
【００２６】
一方、台座部１０ｂの逃げ溝１０ｅは、図３（ｂ）に示す様に、ワーク２の長手方向端面を受ける台座部１０ｂの支持面１０ｆより図示下方に凹設されて、ワーク２の長手方向端面との間に隙間が設けられている。この隙間、つまり逃げ溝１０ｅは、挿入部１０ａの二面幅１０ｄに繋がって形成されている。これにより、脱脂工程から水滴除去工程の間で、ワーク２の内側に入り込んだ水分や異物等は、図３（ｂ）に矢印で示す様に、排出通路（二面幅１０ｄと逃げ溝１０ｅ）を通ってワーク２の外部へ排出される。
【００２７】
潤滑剤塗布部４は、図４および図５に示す様に、水溶性潤滑剤で満たされた潤滑剤塗布槽１１と、水溶性潤滑剤を貯留する潤滑剤タンク１２と、この潤滑剤タンク１２に貯留された水溶性潤滑剤を潤滑剤塗布槽１１に供給する潤滑剤ポンプ１３と、潤滑剤塗布槽１１に満たされた水溶性潤滑剤にワーク２を浸漬させるためのワーク操作ユニット（下述する）と、このワーク操作ユニットを搬送する搬送ローダ１４等より構成される。
潤滑剤塗布槽１１には、潤滑剤タンク１２に貯留された水溶性潤滑剤が潤滑剤ポンプ１３によって供給されることで、例えば、潤滑剤塗布槽１１の上端面まで水溶性潤滑剤が蓄えられている。
【００２８】
ワーク操作ユニットは、搬送コンベア９によって潤滑剤塗布部４まで搬送されたワーク２を把持するワーククランプ１５と、このワーククランプ１５によって把持されたワーク２の向きを天地方向に反転できるワーク反転ユニット１６と、ワーククランプ１５によって把持されたワーク２を上下方向に移動できるワーク上下ユニット１７とで構成される。  ワーククランプ１５は、ワーク受け治具１０に直立した姿勢で保持されているワーク２の下側外周面を径方向両側から挟み込んで把持する。
ワーク反転ユニット１６は、ワーククランプ１５を１８０度反転させる機能を有し、ワーク２を潤滑剤塗布槽１１に満たされた水溶性潤滑剤に浸漬させる前と、潤滑剤塗布槽１１から引き上げた後に、それぞれワーククランプ１５を１８０度反転させる。
【００２９】
乾燥炉５には、前処理室３と同様に、ワーク受け治具１０が取り付けられた搬送コンベア１８が配設され、この搬送コンベア１８によって搬送されるワーク２を、高温雰囲気に保たれた乾燥炉５の中に通すことで、ワーク表面に塗布された水溶性潤滑剤を乾燥させる。あるいは、ワーク２に温風を当てて乾燥させることもできる。
【００３０】
乾燥炉５で乾燥されたワーク２は、図２に示す様に、別の搬送コンベア１９によって部品供給装置２０に搬送され、この部品供給装置２０から冷鍛加工部２１（プレス部）に供給される。
なお、乾燥炉５から部品供給装置２０までの搬送経路は、例えば、カバー２２によってトンネル状に覆われると共に、乾燥炉５で発生する排熱が排風ダクト２３を介してカバー２２の内部に導入されている。これにより、搬送経路は、乾燥状態に保たれている。
【００３１】
続いて、上記の潤滑処理装置１により実施される潤滑処理方法について説明する。
搬送コンベア９に取り付けられたワーク受け治具１０にワーク２をセットする。この時、ワーク２は、冷鍛加工によってヘリカルスプラインが形成される長手方向一端側を上向きにしてワーク受け治具１０にセットする（図３参照）。
搬送コンベア９を作動させてワーク２を前処理室３に搬送する。
前処理室３に搬送されるワーク２は、脱脂部６→水洗部７→エアブロー部８の順に処理される。
脱脂部６では、ワーク表面に付着している油等の汚れが脱脂剤で除去される。
水洗部７では、例えばシャワー洗浄により、ワーク表面の脱脂剤が除去される。
エアブロー部８では、ワーク２に高圧エアーを吹き付けることにより、ワーク表面の水滴が除去される。
【００３２】
エアブロー部８で処理されたワーク２は、潤滑剤塗布部４まで搬送された後、ワーク操作ユニットに設けられたワーククランプ１５に把持され、ワーク上下ユニット１７によって上方へ引き上げられる。この時、ワーククランプ１５は、ワーク２の長手方向他端側の外周面、つまりワーク受け治具１０に保持されているワーク２の下側外周面をワーク２の径方向両側から挟み込むことで、ワーク２を安定した状態で確実に把持することができる。
【００３３】
ワーク操作ユニットは、ワーク２を上方に引き上げた状態で、搬送ローダ１４によって所定位置（図４のＡ位置）まで移動した後、ワーク反転ユニット１６により、ワーククランプ１５の向き、つまりワーク２の向きを天地方向に１８０度反転する。これにより、ワーククランプ１５に把持されているワーク２は、長手方向一端側が下向きとなり、潤滑剤塗布槽１１の上部に位置している。
【００３４】
続いて、ワーク上下ユニット１７によりワーク２を降下させて、潤滑剤塗布槽１１に満たされている水溶性潤滑剤にワーク２を浸漬させる。但し、ワーク２全体を水溶性潤滑剤に浸漬させるのではなく、ヘリカルスプラインが設けられる長手方向一端側のみ水溶性潤滑剤に浸漬させる。これにより、ワーク２の長手方向一端側の内外表面および長手方向端面（図６に一点鎖線で示す範囲）に水溶性潤滑剤が塗布される。
なお、潤滑剤塗布槽１１には、上端まで水溶性潤滑剤が満たされているので、水溶性潤滑剤にワーク２を浸漬させると、潤滑剤塗布槽１１から水溶性潤滑剤が溢れ出るが、その溢れ出た水溶性潤滑剤は、潤滑剤タンク１２に戻って貯留される。また、潤滑剤塗布槽１１には、潤滑剤ポンプ１３によって潤滑剤タンク１２から水溶性潤滑剤が供給されることで、再び上端まで水溶性潤滑剤が満たされる。
【００３５】
続いて、ワーク上下ユニット１７により、水溶性潤滑剤からワーク２が引き上げられる。この時、ワーク２の引き上げ速度が２０ｍｍ／ｓｅｃ以下に設定されている。
この後、ワーク操作ユニットは、ワーク２を上方に引き上げた状態で、搬送ローダ１４によって所定位置（図４のＢ位置）まで移動した後、ワーク反転ユニット１６により、再度、ワーク２の向きを天地方向に１８０度反転する。これにより、ワーククランプ１５に把持されているワーク２は、長手方向一端側が上向きとなる。
【００３６】
続いて、ワーク上下ユニット１７によりワーク２を降下させて、乾燥炉５の搬送コンベア１８に取り付けられているワーク受け治具１０に保持させる。
乾燥炉５に搬送されたワーク２は、高温雰囲気の中を通過する際に、ワーク表面に塗布された水溶性潤滑剤が乾燥される。
乾燥炉５を出たワーク２は、別の搬送コンベア１９に移されて、乾燥状態に保たれた搬送経路を通って部品供給装置２０に搬送され、この部品供給装置２０から冷鍛加工部２１に供給されて、所望の形状に冷鍛加工される。
【００３７】
（実施例１の効果）
上述した潤滑処理方法では、潤滑剤塗布槽１１の水溶性潤滑剤にワーク２を浸漬させた後、水溶性潤滑剤からワーク２を引き上げる際に、その引き上げ速度を２０ｍｍ／ｓｅｃ以下に設定している。この場合、ワーク２の引き上げ速度が遅いため、潤滑剤塗布槽１１に蓄えられた水溶性潤滑剤の液面の表面張力にワーク表面の水溶性潤滑剤が引っ張られることで、ワーク表面に余分な水溶性潤滑剤が塗布されることはなく、水溶性潤滑剤を薄く均一に塗布できる。
【００３８】
実施例１に記載した潤滑処理装置１では、前処理室３（脱脂部６、水洗部７、エアブロー部８）および乾燥炉５において、ワーク２の長手方向一端側を上向きにした状態で、ワーク２の内径がワーク受け治具１０によって保持されているので、各工程（脱脂、水洗、水滴除去、乾燥）をムラ無く均等に処理できる。
潤滑剤塗布部４では、ワーク２の向きを天地方向に１８０度反転してから水溶性潤滑剤に浸漬するので、処理が容易な上方からワーク２を降下するだけで、ワーク２の表面に水溶性潤滑剤を塗布できる。また、ワーク２の長手方向一端側を下向きにして水溶性潤滑剤に浸漬させるので、ワーク２を水溶性潤滑剤から引き上げた時に、潤滑剤が垂れても、ワーク２の長手方向他端側に潤滑剤が付着することはない。
【００３９】
ワーク受け治具１０には、挿入部１０ａに形成された二面幅１０ｄと、台座部１０ｂに凹設された逃げ溝１０ｅとで排出通路が形成されているので、脱脂工程から水滴除去工程の間で、ワーク２の内側に入り込んだ水分や異物等を、排出通路（二面幅１０ｄと逃げ溝１０ｅ）からワーク２の外部へ排出することができる。これにより、ワーク２の表面に水分や異物等が付着することはなく、潤滑剤塗布部４では、水溶性潤滑剤をワーク２の表面に薄く均一に塗布できる。
乾燥炉５から部品供給装置２０までの搬送経路は、乾燥炉５で発生する排熱が供給されて、乾燥状態に保たれているため、乾燥炉５から部品供給装置２０へワーク２を搬送する際に、ワーク表面に塗布された水溶性潤滑剤が吸湿することはなく、潤滑剤の剥離を防止できる。
【実施例２】
【００４０】
図８は実施例２に係る潤滑処理の手順を示す工程図である。
この実施例２では、実施例１に記載した水滴除去工程と潤滑剤塗布工程との間に、以下に説明する下処理を実施する一例である。
下処理は、図８に示す様に、ワーク表面を酸洗いする酸洗工程と、ワーク表面の酸を水洗いする水洗工程と、ワーク表面の水滴を除去する乾燥（水滴除去）工程から成る。
この下処理を実施すると、ワーク２の表面に錆を発生させることができるため、この後、潤滑剤塗布工程を実施することにより、ワーク表面に発生した錆によって水溶性潤滑剤の密着度が増大する。このため、ＳＣｒやＳＣＭのような合金鋼の場合でも、水溶性潤滑剤を剥がれにくくできる。
【００４１】
なお、実施例１および実施例２では、円筒形状を有するワーク２の表面に水溶性潤滑剤を塗布する例を記載したが、水溶性潤滑剤からワーク２を引き上げる時の引き上げ速度を２０ｍｍ／ｓｅｃ以下に設定することは、円筒形状に限らず、例えば、棒状や角柱形状等のワークにも適用できる。
【図面の簡単な説明】
【００４２】
【図１】冷間鍛造用の潤滑処理装置の全体正面図である。
【図２】冷間鍛造用の潤滑処理装置を上方から見た平面図である。
【図３】ワーク受け治具の（ａ）正面図と（ｂ）側面図である。
【図４】潤滑剤塗布部の正面図である。
【図５】潤滑剤塗布部の平面図である。
【図６】ワークの断面図である。
【図７】潤滑処理の手順を示す工程図である（実施例１）。
【図８】潤滑処理の手順を示す工程図である（実施例２）。
【符号の説明】
【００４３】
１    潤滑処理装置
２    ワーク
３    前処理室（第１工程、第２工程、第３工程）
４    潤滑剤塗布部（第４工程）
５    乾燥炉（第５工程）
１０    ワーク受け治具
１０ａ  挿入部
１０ｂ  台座部
１０ｄ  二面幅（排出通路）
１０ｅ  逃げ溝（排出通路）
１５    ワーククランプ（ワーク操作ユニット）
１６    ワーク反転ユニット（ワーク操作ユニット）
１７    ワーク上下ユニット（ワーク操作ユニット）
２１    冷鍛加工部（冷間鍛造工程）
２２    カバー
２３    排風ダクト
【図１】
2006224163.tif 000003
【図２】
2006224163.tif 000004
【図３】
2006224163.tif 000005
【図４】
2006224163.tif 000006
【図５】
2006224163.tif 000007
【図６】
2006224163.tif 000008
【図７】
2006224163.tif 000009
【図８】
2006224163.tif 000010